(57)【要約】      （修正有）【課題】包装箱を積み重ねた際、側板の胴膨れを防止することができる包装箱を提供する。【解決手段】長側板１および短側板２が交互に連設され、各長側板１の上下には天フラップ４、底フラップ４、各短側板２の上下には天フラップ５、底フラップ５がそれぞれ連設された包装箱において、長側板１と天、底フラップ４との境界となる罫線６の長側板１側に、罫線６と平行に罫線７を設け二重罫線としたのである。【選択図】図２
0003170138.tif 000002
【実用新案登録請求の範囲】
【請求項１】
側板（１、２）の上端および下端にフラップ（４、５）を連設した包装箱において、前記側板（１、２）とフラップ（４、５）との境界となる罫線（６、８）の少くとも一方にほぼ平行な罫線（７）を側板（１、２）に設けて二重罫線にしたことを特徴とする包装箱。
【請求項２】
二重罫線（６，７）は側板（１）の中央部のみで、端部は一重罫線であることを特徴とする請求項１に記載の包装箱。
【請求項３】
前記罫線（７）は罫線（６）と約２ｍｍ〜１０ｍｍの間隔をもって設けられ、罫線（６）の約１／３〜４／５の長さを有する請求項１または２に記載の包装箱。
【請求項４】
側板（１、２）の上端および下端にフラップ（４、５）を連設した包装箱において、前記側板（１、２）とフラップ（４、５）との境界となる罫線（６、８）の少くとも一方の中央部を側板（１、２）側に太くなる罫線にしたことを特徴とする包装箱。
【請求項５】
前記太い罫線は罫線（６）の約１．５〜５倍の太さを有し、罫線（６）の約１／３〜４／５の長さを有する請求項４に記載の包装箱。
【考案の詳細な説明】
【技術分野】
【０００１】
この考案は、包装箱、特に、積み重ね状態で側板が胴膨れしない包装箱に関する。
【背景技術】
【０００２】
一般に使用される直方体の包装箱に物品を包装し、数段積み重ねると下の包装箱の側板中央部に上の物品の加重が加わり、上下方向に側板の胴膨れが生じ、外観の悪化、物品の破損といった問題が生じる。
【０００３】
この対策として、下記特許文献１には、側板とフラップ（平板）との境界となる罫線をＶ字状または弧状に曲げ、側板中央部より強度に優れたコーナ部に加重を負担させることにより側板の胴膨れを防止する技術が記載されている。
【先行技術文献】
【特許文献】
【０００４】
【特許文献１】特開２００７−３９０９０号公報
【考案の概要】
【考案が解決しようとする課題】
【０００５】
しかしながら、特許文献１に記載されたような罫線をＶ字状または弧状に曲げた形態は、強度は大幅に向上するが、フラップの縁はＶ字状または弧状に膨出することになり、フラップを折り曲げると側板の中央部が横方向にやや膨れるという問題がある。
【０００６】
この考案は、折り曲げた際は従来どおりに折れて側板が平坦な状態を維持し、積み重ねた際にも側板の胴膨れを防止できる包装箱を提供することを課題とする。
【課題を解決するための手段】
【０００７】
上記課題を解決するために、この考案では、側板の上端および下端にフラップを連設した包装箱において、側板とフラップとの境界となる罫線に実質的に平行な罫線を側板側に設けた二重罫線にしたのである。
【０００８】
二重罫線部は側板の中央部のみで、端部は一重罫線とするのがよい。
【０００９】
また、側板とフラップとの境界となる罫線の中央部を太い罫線にしてもよい。
【考案の効果】
【００１０】
この考案に係る包装箱を数段積み重ね、下の包装箱に上の包装箱による過大な加重が掛かった場合、胴膨れが生じる前に二重罫線部分が押し潰される。このため胴膨れを防止できる。
【図面の簡単な説明】
【００１１】
【図１】この考案の第１の実施形態を示す包装箱の展開平面図
【図２】同上の組立て状態を示す斜視図
【図３】この考案の第２の実施形態を示す包装箱の展開平面図
【図４】同上の組立て状態を示す斜視図
【考案を実施するための形態】
【００１２】
以下、この考案の第１実施形態を図１および図２に基づいて説明する。
【００１３】
この包装箱の段ボールブランクは、図１に示すように各一対の長側板１および短側板２が交互に連設され、一方の短側板２の外側に継代３が連設されている。各長側板１の上下には天フラップ４、底フラップ４、各短側板２の上下には天フラップ５、底フラップ５がそれぞれ連設されている。長側板１と天、底フラップ４との境界となる罫線６の中央部の長側板１側に、罫線６と実質的に平行に罫線７が設けられ、二重罫線となっている。罫線７の長さは、罫線６の約１／３〜４／５程度が好ましい。より好ましくは約１／２である。また罫線６と罫線７の間隔は約２ｍｍ〜１０ｍｍ程度が好ましい。より好ましくは約２ｍｍ〜８ｍｍである。さらに約３ｍｍが最もよい。
【００１４】
この包装箱を使用する際には、図２に示すように、各一対の長側板１および短側板２を縦筒状に折り曲げ、継代３を反対側の長側板１に貼り合せ、底面側の底フラップ５に底フラップ４を貼り合せて底面を閉じ、物品を収納し、上面側の天フラップ５に天フラップ４を重ね合せて封緘する。
【００１５】
罫線６は直線状なので、従来どおり、フラップ４に対して側板１を平坦な状態で、直角に折り曲げることができる。
【００１６】
図２の包装箱を数段積み重ね、下の包装箱に上の包装箱による過大な荷重がかかった場合でも、長側板１が箱の外側に向かって変形する現象、いわゆる胴膨れ現象が生じる前に二重罫線間の段ボールが押し潰される。このため胴膨れ現象を防止できる。
【００１７】
段ボールシート（レンゴー社製、ＲＫＡ２８０、Ａフルート、坪量２８０ｇ／ｍ2）によって幅９５０ｍｍ、奥行き１５０ｍｍ、高さ６００ｍｍの包装箱を形成し、荷重をかけて、１５ｍｍの胴膨れ現象が生じる荷重を測定したところ、従来の包装箱では３３４０Ｎであったが、第１実施形態の二重罫線（罫線間隔３ｍｍ）包装箱では５０００Ｎに向上した。
【００１８】
なお、長側板は短側板よりも長いため胴膨れ現象が発生し易い。このため、長側板１とフラップ４との境界となる罫線６のみを二重罫線とし、短側板２とフラップ５との境界となる罫線８は通常の罫線とするのがよい。また、包装箱が正方形に近い形状の場合は、両方の罫線６、８を二重罫線としてもよい。
【００１９】
本実施形態では罫線６、罫線７の二重罫線としたが、罫線６の中央部を通常の１．５〜５倍程度、好ましくは４倍程度、側板１、２側に太くなる罫線としても、この部分の段ボールが潰れるので同様の効果が得られる。太い罫線は罫線６の約１／３〜４／５程度の長さが好ましい。より好ましくは約１／２である。
【００２０】
上記太い罫線の形成方法は特に限定しないが、一例として、複数の押罫部材を平行に並べて取付けた型板を作成し、段ボールシートにこの押罫部材を押し付けて罫線を形成する方法があげられる。また、例えば５本の押罫部材を使用し、２本目と４本目の押罫部材は強く押し付けるために高めに取付け、１、３、５本目は弱く押し付けるように低めに取付けるようにすることができる。
【００２１】
次に、この考案の第２の実施形態である八角形の包装箱を図３および図４に基づいて説明する。なお、第１の実施形態と共通する部材には共通の符号を使用する。
【００２２】
第２実施形態の段ボールブランクは、図３に示すように長側板１と短側板２の間に中間板９が設けられている。第１の実施形態と同様に、長側板１と天、底フラップ４との境界となる罫線６の長側板１側に、罫線６とほぼ平行に罫線６より短い罫線７が設けられ、二重罫線となっている。
【００２３】
図４は上記ブランクを組立てて形成した八角形の包装箱を示す。図示のように、天フラップ４の上に天フラップ５を重ね合せると、包装箱を積み重ねた際に、底面の凹部１０に天フラップ５が嵌り込み、横ずれを防止することができる。
【００２４】
第２の実施形態においても、上から過大な荷重が掛かった場合、長側板１が箱の外側に向かって変形する現象、いわゆる胴膨れ現象が生じる前に二重罫線間の段ボールが押し潰される。このため胴膨れ現象を防止できる。
【００２５】
包装箱の形態は、上述に限定されない。例えばフラップが箱の端面に設けられているもの等種々の形態が含まれる。包装箱の材料は一般的な段ボールのほか、厚紙等でもよい。また、合成樹脂や紙と合成樹脂との複合材料でもよい。
【符号の説明】
【００２６】
１  長側板
２  短側板
３  継代
４、５  フラップ
６、７、８  罫線
９  中間板
１０  凹部
【図１】
0003170138.tif 000003
【図２】
0003170138.tif 000004
【図３】
0003170138.tif 000005
【図４】
0003170138.tif 000006